(57)【特許請求の範囲】
【請求項１】
外部装置と無線ＬＡＮによる無線通信が可能な無線通信部と、
前記無線通信部により受信される電波の電波強度を検出する検出部と、
画像を表示可能な表示部と、
前記表示部に表示されている画像に対する選択操作を受け付ける入力部と、
制御部と、
を備え、
前記制御部は、
特定のボタン画像を前記表示部に表示させるボタン表示処理と、
前記入力部を介して、前記表示部に表示されている前記特定のボタン画像の１つである通信ボタン画像が選択された場合に、現在設定されているネットワーク接続方法を判定し、前記ネットワーク接続方法として無線ＬＡＮが設定されている場合、前記無線通信部による前記無線通信の実行に必要な設定情報が既に設定されているか否か判断する無線設定判断処理と、
を実行し、
前記無線設定判断処理により前記設定情報が既に設定されていると判断された場合には、
前記検出部により検出された前記電波強度を取得する強度取得処理と、
前記強度取得処理により取得された前記電波強度に応じた通信関連画面を前記表示部に表示させる第１の画面表示処理と、
を実行し、
前記無線設定判断処理により前記設定情報が設定されていないと判断された場合に、特定の設定用画面を前記表示部に表示させる第２の画面表示処理を実行する
ことを特徴とする表示制御装置。
【請求項２】
請求項１に記載の表示制御装置であって、
前記制御部は、
特定のチャンネルを用いた特定の無線通信網を通じた無線通信に必要な前記設定情報を設定する設定処理、
を実行し、
前記強度取得処理では、前記無線設定判断処理により前記設定情報が既に設定されていると判断された場合、前記特定の無線通信網を通じた無線通信の前記電波強度を取得し、
前記制御部は、
前記無線設定判断処理により前記設定情報が既に設定されていると判断された場合に、前記強度取得処理により取得された前記電波強度が特定レベルより低いか否か判断するレベル判断処理、
を実行し、
前記レベル判断処理により前記電波強度が前記特定レベルより低いと判断された場合、前記第１の画面表示処理では、前記通信関連画面として、前記設定情報の再設定を要求しないことを要求するためのボタンを含む無線ＬＡＮ異常画面を前記表示部に表示させ、前記ボタンが押下されて且つ前記表示制御装置が有線ＬＡＮに接続中でない場合、チャンネルの異なる別の特定の無線通信網を通じた無線通信が可能な状態にあるか否か判断し、前記別の特定の無線通信網を通じた無線通信が可能な状態にある場合、前記通信関連画面として前記別の特定の無線通信網を示すチャンネル切替画面を前記表示部に表示させる
ことを特徴とする表示制御装置。
【請求項３】
請求項２に記載の表示制御装置であって、
前記制御部は、前記レベル判断処理により前記電波強度が前記特定レベル以上と判断された場合、前記第１の画面表示処理では、前記通信関連画面として、前記特定の無線通信網を通じた無線通信を正常に行える状態であることを示す正常状態画面を前記表示部に表示させる
ことを特徴とする表示制御装置。
【請求項４】
請求項２又は請求項３に記載の表示制御装置であって、
前記制御部は、
前記チャンネル切替画面において、前記別の特定の無線通信網を通じた無線通信への切り替えを示す特定のチャンネル切替操作が前記入力部を介して入力された場合に、前記別の特定の無線通信網を通じた無線通信の実行に必要な前記設定情報の設定を受け付けるための無線設定画面を前記表示部に表示させる設定画面表示処理、
を実行することを特徴とする表示制御装置。
【請求項５】
請求項２〜請求項４の何れか１項に記載の表示制御装置であって、
外部装置と有線通信が可能な有線通信部を備え、
前記制御部は、
前記レベル判断処理により前記電波強度が前記特定レベルより低いと判断された場合に、前記有線通信部を介した有線通信が可能な状態にあるか否か判断する有線判断処理、
を実行し、
前記制御部は、前記有線判断処理により前記有線通信が可能な状態にあると判断された場合は、前記第１の画面表示処理では、前記通信関連画面として、前記有線通信部による有線通信が可能な状態であることを示す有線報知画面を前記表示部に表示させる
ことを特徴とする表示制御装置。
【請求項６】
請求項１〜請求項４の何れか１項に記載の表示制御装置であって、
外部装置と有線通信が可能な有線通信部を備え、
前記制御部は、
前記外部装置との通信を、前記無線通信部を介した無線通信及び前記有線通信部を介した前記有線通信のうちどちらによって行うかを設定する通信方法設定処理と、
前記通信方法設定処理により設定されている何れか一方によって前記外部装置との通信を実行する通信処理と、
を実行し、
前記制御部は、前記表示部に表示されている前記通信ボタン画像が前記入力部を介して選択された場合、前記通信方法設定処理により前記無線通信が設定されている場合に、前記無線設定判断処理を実行する
ことを特徴とする表示制御装置。
【請求項７】
請求項５に記載の表示制御装置であって、
前記制御部は、
前記外部装置との通信を、前記無線通信部を介した無線通信及び前記有線通信部を介した前記有線通信のうちどちらによって行うかを設定する通信方法設定処理と、
前記通信方法設定処理により設定されている何れか一方によって前記外部装置との通信を実行する通信処理と、
を実行し、
前記制御部は、前記表示部に表示されている前記通信ボタン画像が前記入力部を介して選択された場合、前記通信方法設定処理により前記無線通信が設定されている場合に、前記無線設定判断処理を実行する
ことを特徴とする表示制御装置。
【請求項８】
請求項６又は請求項７に記載の表示制御装置であって、
前記制御部は、
前記表示部に表示されている前記通信ボタン画像が前記入力部を介して選択された場合、前記通信方法設定処理により前記有線通信が設定されている場合に、前記有線通信部を介した有線通信が可能な状態にあるか否か判断する有線判断処理、
を実行し、
前記制御部は、前記有線判断処理により前記有線通信部を介した有線通信が可能な状態にはないと判断された場合は、前記第１の画面表示処理では、前記通信関連画面として、前記有線通信ができない旨のメッセージ、及び前記無線通信部を介した前記無線通信への切り替えを促すメッセージの少なくとも一方を含む無線切替画面を前記表示部に表示させる
ことを特徴とする表示制御装置。
【請求項９】
外部装置と無線ＬＡＮによる無線通信が可能な無線通信部と、
前記無線通信部により受信される電波の電波強度を検出する検出部と、
画像を表示可能な表示部と、
前記表示部に表示されている画像に対する選択操作を受け付ける入力部と、
を備えた通信装置において用いられる表示制御方法であって、
特定のボタン画像を前記表示部に表示させるボタン表示手順と、
前記表示部に表示されている前記特定のボタン画像の１つである通信ボタン画像が前記入力部を介して選択された場合に、現在設定されているネットワーク接続方法を判定し、前記ネットワーク接続方法として無線ＬＡＮが設定されている場合、前記無線通信部による前記無線通信の実行に必要な設定情報が既に設定されているか否か判断する無線設定判断手順と、
前記無線設定判断手順により前記設定情報が既に設定されていると判断された場合に、前記検出部により検出された前記電波強度を取得する強度取得手順と、
前記強度取得手順により取得された前記電波強度に応じた通信関連画面を前記表示部に表示させる第１の画面表示手順と、
を実行し、
前記無線設定判断手順により前記設定情報が設定されていないと判断された場合に、特定の設定用画面を前記表示部に表示させる第２の画面表示手順を実行する
ことを特徴とする表示制御方法。
【請求項１０】
外部装置と無線ＬＡＮによる無線通信が可能な無線通信部と、
前記無線通信部により受信される電波の電波強度を検出する検出部と、
画像を表示可能な表示部と、
前記表示部に表示されている画像に対する選択操作を受け付ける入力部と、
プログラムに従った処理を実行可能な制御部と、
を備えた通信装置における、前記制御部に実行させるための表示制御プログラムが記憶された、前記制御部が読み取り可能な記憶媒体であって、
前記表示制御プログラムは、前記制御部に、
特定のボタン画像を前記表示部に表示させるボタン表示処理と、
前記表示部に表示されている前記特定のボタン画像の１つである通信ボタン画像が前記入力部を介して選択された場合に、現在設定されているネットワーク接続方法を判定し、前記ネットワーク接続方法として無線ＬＡＮが設定されている場合、前記無線通信部による前記無線通信の実行に必要な設定情報が既に設定されているか否か判断する無線設定判断処理と、
前記無線設定判断処理により前記設定情報が既に設定されていると判断された場合に、前記検出部により検出された前記電波強度を取得する強度取得処理と、
前記強度取得処理により取得された前記電波強度に応じた通信関連画面を前記表示部に表示させる第１の画面表示処理と、
前記無線設定判断処理により前記設定情報が設定されていないと判断された場合に、特定の設定用画面を前記表示部に表示させる第２の画面表示処理と、
を実行させるためのプログラムであることを特徴とする記憶媒体。
【発明の詳細な説明】
【技術分野】
【０００１】
本発明は、各種画像を表示部に表示させるための表示制御装置、表示制御方法、及びその方法を実行させるためのプログラムが記憶された記憶媒体に関する。
【背景技術】
【０００２】
複数の機能を備えた複合機においては、個々の機能を利用するために各種の設定作業を行う必要がある。近年、複合機として、タッチパネル付きの表示部を備え、タッチパネルに対するユーザの入力操作を介して各種設定が行えるように構成されたものが広く普及している（例えば、特許文献１参照。）。
【０００３】
一般的な複合機においては、表示部に待機画面が表示されている状態で、その待機画面中の特定の画像をタッチパネルを介して選択することで、設定作業のための下位階層の画面へ遷移させることができる。
【先行技術文献】
【特許文献】
【０００４】
【特許文献１】特開２００９−１５２８１８号公報
【発明の概要】
【発明が解決しようとする課題】
【０００５】
近年の複合機は、無線ＬＡＮによる外部装置とのデータ通信機能が搭載されることが一般的になっている。無線ＬＡＮを利用できるようにするためにも、アクセスポイントの設定を含む複数の設定作業を事前に行うことが必要である。複合機における無線ＬＡＮの設定は、例えば、待機画面中の特定の通信ボタンをタッチパネルを介して選択することで無線ＬＡＮの設定画面に遷移させ、その設定画面において行うことができる。
【０００６】
しかし、通信ボタンが選択された場合に、無線ＬＡＮ用の設定が既になされているか否かにかかわらず一律に設定画面に遷移するような構成は、必ずしも使い勝手が良いとは言えない。また、無線ＬＡＮ用の設定が既になされている場合であっても、周囲の電波環境やその他の要因によっては、その設定済みの無線ＬＡＮが利用できない状況になっていることも生じ得る。そのような場合、ユーザとしては、なぜ利用できないのか明確にわからないまま、通信ボタンを選択して設定内容の確認や変更などを試みようとすることが予想されるが、ユーザにとっては手間がかかり、使い勝手が良いとは言えない。
【０００７】
本発明は上記課題に鑑みなされたものであり、上述した通信ボタンの選択などといった同じ共通の入力操作に対し、無線通信の設定状況や電波環境などに応じて適切な情報をユーザに提供することで、ユーザによる無線通信の使い勝手を向上させることを目的とする。
【課題を解決するための手段】
【０００８】
上記課題を解決するためになされた本発明の表示制御装置は、外部装置と無線通信が可能な無線通信部と、この無線通信部により受信される電波の電波強度を検出する検出部と、画像を表示可能な表示部と、この表示部に表示されている画像に対する選択操作を受け付ける入力部と、制御部と、を備える。
【０００９】
制御部は、ボタン表示処理と、無線設定判断処理とを実行する。ボタン表示処理は、特定のボタン画像を表示部に表示させる処理である。無線設定判断処理は、入力部を介して
、表示部に表示されている特定のボタン画像の１つである通信ボタン画像が選択された場合に、無線通信部による無線通信の実行に必要な設定情報が既に設定されているか否か判断する処理である。また、制御部は、無線設定判断処理により設定情報が既に設定されていると判断された場合には、強度取得処理と、第１の画面表示処理とを実行する。強度取得処理は、検出部により検出された電波強度を取得する処理である。第１の画面表示処理は、  強度取得処理により取得された電波強度に応じた通信関連画面を表示部に表示させる処理である。そして、制御部は、無線設定判断処理により設定情報が設定されていないと判断された場合に、特定の設定用画面を表示部に表示させる第２の画面表示処理を実行する。
【００１０】
このように構成された表示制御装置によれば、通信ボタン画像が選択された場合に、無線通信の実行に必要な設定情報が既に設定されているか否かによって、表示部に表示される画面が異なる。さらに、無線通信用の設定情報が既に設定されている場合は、その無線通信の電波環境によって、表示部に表示される画面が異なる。
【００１１】
つまり、通信ボタン画像が選択された場合、そのときの設定情報の設定の有無に応じた適切な画面が表示され、設定情報が既に設定されている場合にはそのときの電波環境に応じた適切な画面が表示される。
【００１２】
そのため、同じ共通の入力操作（通信ボタン画像の選択操作）に対し、無線通信の設定状況や電波環境などに応じて適切な情報をユーザに提供することができ、ユーザによる無線通信の使い勝手を向上させることが可能となる。
【００１３】
なお、本発明は、前述した表示制御装置の他、この表示制御装置において用いられている各種の方法（表示部への各種画像表示を制御する方法）、この表示制御装置を構成要素とする各種システム、この表示制御装置の制御部が実行可能な各処理をコンピュータに実行させるためのプログラム、このプログラムが記憶された記憶媒体など、種々の形態で実現することができる。
【図面の簡単な説明】
【００１４】
【図１】実施形態の画像処理システムの概略構成を示すブロック図である。
【図２】待機画面及び設定開始画面を示す説明図である。
【図３】ネットワーク接続方法が有線ＬＡＮに設定されている場合における、通信ボタン押下時の画面遷移例を示す説明図である。
【図４】ネットワーク接続方法が無線ＬＡＮに設定されている場合における、通信ボタン押下時の画面遷移例を示す説明図である。
【図５】通信制御処理のフローチャートの一部である。
【図６】通信制御処理のフローチャートの一部（図５の続き）である。
【図７】通信制御処理のフローチャートの一部（図６の続き）である。
【発明を実施するための形態】
【００１５】
以下、本発明が適用された実施形態について、図面を用いて説明する。
（１）画像処理システムの概要
本実施形態の画像処理システムは、図１に示すように、複合機１０と、ＰＣ（Personal
Computer の略）３０と、第１のＡＰ（アクセスポイントの略称）１５１と、第２のＡＰ１５２と、ルータ１６０とを備えている。第１のＡＰ１５１及び第２のＡＰ１５２は、ルータ１６０に接続されている。複合機１０及びＰＣ３０は、ＬＡＮケーブル２５によってルータ１６０と接続されている。ルータ１６０は、インターネット１７０に接続されている。
【００１６】
複合機１０とＰＣ３０は、有線ＬＡＮ（Local Area Networkの略）によるデータ通信機能及び無線ＬＡＮによるデータ通信機能を備えている。有線ＬＡＮは、ＬＡＮケーブル２５及びこれに接続される各種機器によって構成される有線通信ネットワークである。無線ＬＡＮは、ＩＥＥＥ８０２．１１ｂ／ｇ／ｎの規格に準拠した、２．４ＧＨｚ帯又は５ＧＨｚ帯の周波数帯域の電波が用いられる無線通信ネットワークである。
【００１７】
第１のＡＰ１５１及び第２のＡＰ１５２は、いずれも、無線ＬＡＮにおいて送受信される無線信号（電波）を中継する中継装置である。各ＡＰ１５１，１５２で送受信される電波のチャンネルはＡＰ毎にそれぞれ個別に設定され、各ＡＰ１５１，１５２はそれぞれ個別の無線ＬＡＮを形成する。
【００１８】
複合機１０とＰＣ３０との無線ＬＡＮによるデータ通信は、第１のＡＰ１５１又は第２のＡＰ１５２を介して行うことができる。例えば第１のＡＰ１５１を介した無線ＬＡＮ（以下「第１の無線ＬＡＮ」とも称す）を利用したい場合は、その第１の無線ＬＡＮに必要な設定を予め行っておくことで、第１の無線ＬＡＮを利用できる。
【００１９】
また、複合機１０及びＰＣ３０は、有線ＬＡＮ又は無線ＬＡＮを利用して、ルータ１６０経由でインターネット１７０に接続することでき、インターネット１７０に接続されている他の機器とデータ通信を行うことができる。
【００２０】
（２）複合機１０の説明
複合機１０は、スキャン機能、コピー機能、印刷機能などの複数の機能を備えている。スキャン機能は、原稿の画像を読み取ってその原稿の画像データを生成する機能である。生成した原稿の画像データは、有線ＬＡＮ又は無線ＬＡＮを利用してＰＣ３０などの他の機器へ送信することができる。コピー機能は、スキャン機能により読み取らせた画像を印刷出力する機能である。印刷機能は、ＰＣ３０やその他の機器から入力された画像データ、或いは各種の記憶メディアを介して入力された画像データなどの各種画像データの画像を印刷出力する機能である。
【００２１】
複合機１０は、ＣＰＵ１１、ＲＯＭ１２、ＲＡＭ１３、ＮＶＲＡＭ１４、画像読取部１５、印刷部１６、入力部１７、表示部１８、無線通信部１９、及び有線通信部２０を備えている。
【００２２】
ＣＰＵ１１は、ＲＯＭ１２やＮＶＲＡＭ１４などに記憶されている各種プログラムに従って複合機１０内の各部の制御および各種演算を実行する。ＲＡＭ１３は、ＣＰＵ１１から直接アクセスされるメインメモリとして利用される。ＮＶＲＡＭ１４は、電気的に書き換え可能な不揮発性メモリである。ＮＶＲＡＭ１４には、複合機１０に関する各種設定情報が記憶されている。有線ＬＡＮ及び無線ＬＡＮの実行に必要な各種設定情報のうち、ユーザの設定入力操作によって設定される情報は、ＮＶＲＡＭ１４に記憶される。後述する図５〜図７の通信制御処理のプログラムは、ＲＯＭ１２又はＮＶＲＡＭ１４に記憶されている。
【００２３】
画像読取部１５は、イメージセンサを備え、原稿の画像を読み取ってその画像を表す画像データを生成する。印刷部１６は、画像読取部１５で読み取られた画像データを含む各種画像データを印刷媒体に印刷する機能を有する。入力部１７は、ユーザによる入力操作を受け付ける入力装置である。入力部１７は、タッチパネル２２、操作キー（不図示）などの各種の入力手段を有する。表示部１８は、情報を表示可能な表示デバイス（例えば液晶ディスプレイ）を有する。表示部１８における画像表示領域には、タッチパネル２２が重畳配置されている。
【００２４】
無線通信部１９は、無線ＬＡＮによるデータ通信を行うための無線通信インタフェースである。無線通信部１９は、無線ＬＡＮ用の電波を送受するためのアンテナ（不図示）を備えている。無線ＬＡＮ用の各種データは、無線通信部１９を介して無線にて送受される。
【００２５】
また、無線通信部１９は、受信される電波の電波強度（受信信号強度）を示すＲＳＳＩ（Received Signal Strength Indication の略）を検出する機能を備えている。ＲＳＳＩは、受信信号のチャンネル毎に個別に検出される。即ち、第１のＡＰ１５１から受信される受信信号の電波強度と、第２のＡＰ１５２から受信される受信信号の電波強度とを、それぞれ区別して検出することができる。ＣＰＵ１１は、無線通信部１９にて検出されたＲＳＳＩを取得することができ、その取得したＲＳＳＩに基づいて受信信号の電波強度を検出することができる。
【００２６】
有線通信部２０は、有線ＬＡＮによるデータ通信を行うための有線通信インタフェースである。ＣＰＵ１１は、複合機１０が有線ＬＡＮに接続中であるか否か、即ち有線通信部２０にＬＡＮケーブル２５が接続されていて有線ＬＡＮによるデータ通信を実行可能な状態にあるか否かに関する情報を、有線通信部２０から取得することができる。
【００２７】
本実施形態の複合機１０は、有線通信部２０を介した有線ＬＡＮについては、ユーザの設定入力操作は基本的に不要で、有線通信部２０にＬＡＮケーブル２５を接続することで、有線ＬＡＮを利用することができる。ただし、ＰＣ３０やその他の機器などと有線ＬＡＮによるデータ通信を行うためには、ＰＣ３０やその他の機器側において、必要に応じてドライバソフトやその他のソフトウェアをインストールしておく必要がある。
【００２８】
無線ＬＡＮによるデータ通信を行うためには、使用するアクセスポイント毎に、そのアクセスポイントを介した無線ＬＡＮを利用するために必要な設定を予め行っておく必要がある。即ち、第１のＡＰ１５１を介した第１の無線ＬＡＮを利用するためには、予め、第１のＡＰ１５１を介した無線通信を可能にするための各種設定情報を設定しておく必要がある。また、第２のＡＰ１５２を介した無線ＬＡＮ（以下「第２の無線ＬＡＮ」とも称す）を利用するためには、予め、第２のＡＰ１５２を介した無線通信を可能にするための各種設定情報を設定しておく必要がある。
【００２９】
本実施形態の複合機１０では、無線ＬＡＮ設定、即ち無線ＬＡＮを利用できるようにするための設定を、手動での設定、ＷＰＳ又はＡＯＳＳ（登録商標。以下同様。）を用いた設定など、複数の設定方法の中から何れかを選んで設定することができる。
【００３０】
無線ＬＡＮ設定を行うためには、図２（ａ）に例示するように、表示部１８に設定開始画面６１を表示させる必要がある。表示部１８に設定開始画面６１を表示させることで、この設定開始画面６１を起点とする、無線ＬＡＮの設定のための一連の設定処理（以下「無線ＬＡＮ接続ウィザード」と称す）を実行させることができ、これにより無線ＬＡＮの設定を完了させることができる。
【００３１】
設定開始画面６１には、無線ＬＡＮ設定の具体的方法をユーザに選択させるための複数のボタンが表示される。具体的には、無線接続ウィザードボタン６２、ＷＰＳ／ＡＯＳＳボタン６３、接続アシスタントボタン６４などが表示される。
【００３２】
無線接続ウィザードボタン６２を押下すると、手動での設定に進むことができる。具体的に、無線接続ウィザードボタン６２を押下すると、接続対象のネットワークとして無線ＬＡＮを用いるように設定するか否かを問いかける画面が表示される。ユーザは、この画面を介して、ネットワーク接続方法として有線ＬＡＮ及び無線ＬＡＮのうちどちらか一方
を設定することができる。ネットワーク接続方法として無線ＬＡＮを選択すれば、外部機器とのデータ通信に用いるネットワークとして無線ＬＡＮが設定される。ネットワーク接続方法として無線ＬＡＮを用いることを選択しなかった場合は、外部機器とのデータ通信に用いるネットワークとして有線ＬＡＮが設定される。
【００３３】
なお、ネットワーク接続方法は、複合機１０の出荷時の初期状態では、無線ＬＡＮに設定されている。また、ネットワーク接続方法は、上記の設定開始画面６１とは別の設定画面（不図示）によって任意に設定変更することができる。
【００３４】
無線接続ウィザードボタン６２の押下後、ネットワーク接続方法を問う画面において、無線ＬＡＮを選択すると、利用したいＡＰのＳＳＩＤ（Service Set Identifierの略）の設定画面や、利用したいＡＰに対応した暗号化キーの設定画面などの、各種設定用の画面が順次表示される。画面表示に従ってユーザが必要な入力操作を行うことで、ネットワーク接続方法として、設定したＳＳＩＤのＡＰを介した無線ＬＡＮが設定され、そのＡＰを介した無線ＬＡＮを利用できるようになる。
【００３５】
設定開始画面６１において、ＷＰＳ／ＡＯＳＳボタン６３を押下すると、ＷＰＳ又はＡＯＳＳを用いた設定に進むことができる。具体的に、ＷＰＳ／ＡＯＳＳボタン６３を押下すると、無線接続ウィザードボタン６２の押下時と同様、ネットワーク接続方法として無線ＬＡＮを用いるか否かを問いかける画面が表示され、この画面において無線ＬＡＮを用いるか否かを設定することができる。
【００３６】
そして、無線ＬＡＮを用いることを選択すると、ＷＰＳ及びＡＯＳＳのうちどちらを用いて設定するかを選択させる画面が表示される。ユーザは、その画面を介して、ＷＰＳ及びＡＯＳＳのうち何れかを選択できる。
【００３７】
ここで、ＷＰＳ（Wi-Fi Protected Setupの略。「Wi-Fi」はWi-Fi Allianceの登録商標。以下同様。）とは、無線ＬＡＮ機器の接続やセキュリティに関する設定（即ちＳＳＩＤや暗号化キーなどの各種設定）を容易に行うことができる機能である。利用したいＡＰ及び複合機１０の双方がＷＰＳに対応していれば、基本的に、双方で特定の設定ボタンを押下するだけで、複合機１０からそのＡＰを介した無線ＬＡＮを利用できるようになる。
【００３８】
ＡＯＳＳも、ＷＰＳと同様、無線ＬＡＮ機器の接続やセキュリティに関する設定を容易に行うことができる機能である。利用したいＡＰ及び複合機１０の双方がＡＯＳＳに対応していれば、基本的に、双方で特定の設定ボタンを押下するだけで、複合機１０からそのＡＰを介した無線ＬＡＮを利用できるようになる。
【００３９】
ＷＰＳ又はＡＯＳＳを選択させる画面において、ユーザが何れかを選択すると、その選択した何れかの設定機能に従って、無線ＬＡＮ設定を行うことができる。
（３）ＰＣ３０の説明
ＰＣ３０は、ＣＰＵ３１、ＲＯＭ３２、ＲＡＭ３３、ハードディスクドライブ（以下「ＨＤＤ」と称す）３４、入力部３５、表示部３６、無線通信部３７、及び有線通信部３８を備えている。
【００４０】
ＣＰＵ３１は、ＲＯＭ３２やＨＤＤ３４に記憶されている各種プログラムを実行することによってＰＣ３０の各部や外部機器（複合機１０を含む）を制御する。ＲＯＭ３２には、ＣＰＵ３１によって実行される各種プログラムやデータ等が記憶されている。ＲＡＭ３３は、ＣＰＵ３１が各種処理を実行するための主記憶装置として用いられる。ＨＤＤ３４には、ＯＳ（Operating Systemの略）や各種デバイスドライバ、各種アプリケーションソフトなどがインストールされている。入力部３５は、キーボードや各種ポインティングデ
バイスなどを有する。表示部３６は、液晶ディスプレイや有機ＥＬディスプレイなどの各種の表示デバイスを有する。
【００４１】
無線通信部３７は、複合機１０の無線通信部１９と同様、無線ＬＡＮによるデータ通信を行うための無線通信インタフェースである。有線通信部３８は、複合機１０の有線通信部２０と同様、有線ＬＡＮによるデータ通信を行うための有線通信インタフェースである。
【００４２】
（４）ネットワーク接続に関する画面遷移の概要
次に、複合機１０において、ネットワーク接続の状態やネットワーク接続に必要な各種設定などを行う際の、表示部１８に表示される画面の遷移について、図２〜図４を用いて説明する。
【００４３】
複合機１０が起動して、所定の初期処理が完了すると、表示部１８には、図２に示すような待機画面２が表示される。待機画面２には、複数のメイン機能ボタン３，４，５が表示される。具体的に、図２では、ファクスボタン３と、コピーボタン４と、スキャンボタン５とが表示されている。表示部１８に表示させるメイン機能ボタンの種類は、タッチパネル２２に対する特定の操作（例えば左右方向のフリック操作）によって切り替えることができる。ユーザは、何れかのメイン機能ボタンを押下（具体的にはタッチパネル２２に対するタップ操作）することで、複合機１０の動作状態を、対応するメイン機能を実行させるための次のステップに進めることができる。
【００４４】
また、待機画面２には、通信状態表示領域６に通信ボタンが表示される。通信状態表示領域に表示される通信ボタンの種類は、ネットワーク接続の設定状態や接続状態などに応じて異なる。本実施形態では、図２（ａ）〜図２（ｃ）に示すように、第１の通信ボタン５１、第２の通信ボタン５２、及び第３の通信ボタン５３の何れかが表示される。
【００４５】
図２（ａ）の待機画面２に表示されている第１の通信ボタン５１は、ネットワーク接続方法として有線ＬＡＮが設定されておらず、且つ無線ＬＡＮ利用のために予め必要な無線ＬＡＮ設定がまだなされていない場合に表示される通信ボタンである。この第１の通信ボタン５１を押下すると、表示部１８には設定開始画面６１が表示される。この設定開始画面６１は、既述の通り、無線ＬＡＮ接続ウィザードの起点となる画面、即ち無線ＬＡＮ利用に必要な無線ＬＡＮ設定をユーザに促すための画面である。ユーザは、この設定開始画面６１を起点として、利用したい無線ＬＡＮ（即ち利用したいＡＰ）を利用できるようにするために必要な無線ＬＡＮ設定を行うことができる。
【００４６】
図２（ｂ）の待機画面２に表示されている第２の通信ボタン５２は、ネットワーク接続方法として無線ＬＡＮが設定されていて、且つ無線ＬＡＮ設定がすでに行われている場合に表示される通信ボタンである。第２の通信ボタン５２は、受信電波の電波強度を示すボタンでもあり、電波強度に応じた表示内容となる。
【００４７】
図２（ｃ）の待機画面２に表示されている第３の通信ボタン５３は、ネットワーク接続方法として有線ＬＡＮが設定されている場合に表示される通信ボタンである。
第３の通信ボタン５３を押下した場合に表示される画面は、有線ＬＡＮの接続状態やその他のネットワーク環境などに応じて異なる。即ち、図３に例示するように、第３の通信ボタン５３を押下した場合に、有線ＬＡＮに接続中であれば、即ちＬＡＮケーブル２５が接続されていれば、有線ＬＡＮ状態画面６６が表示される。
【００４８】
有線ＬＡＮ状態画面６６には、有線ＬＡＮ接続情報６７と、Ｙｅｓボタン６８と、Ｎｏボタン６９とが表示される。有線ＬＡＮ接続情報６７は、現在接続されている有線ＬＡＮ
に関する情報であり、例えば、複合機１０のノード名、ＩＰアドレス、サブネットマスクなどを含む。また、有線ＬＡＮに関する設定情報を変更したいか否かを問うメッセージも含まれる。
【００４９】
有線ＬＡＮの設定情報を変更したい場合は、Ｙｅｓボタン６８を押下することで、有線ＬＡＮの設定情報を変更するための画面に遷移させることができる。Ｎｏボタン６９を押下したら、待機画面２に戻る。
【００５０】
また、図３に例示するように、第３の通信ボタン５３を押下した場合に、有線ＬＡＮに接続されておらず、即ちＬＡＮケーブル２５が接続されておらず、且つ、設定済みの無線ＬＡＮに対応したＡＰを検知している場合、即ちそのＡＰからの電波が受信されている場合は、無線ＬＡＮ切替ガイダンス画面７１が表示される。
【００５１】
無線ＬＡＮ切替ガイダンス画面７１には、無線切替確認情報７２と、Ｙｅｓボタン７３と、Ｎｏボタン７４とが表示される。無線切替確認情報７２は、有線ＬＡＮが接続されていないこと、及び、設定済みの無線ＬＡＮのＡＰを検知していてその無線ＬＡＮを利用できる状態にあることを示す情報である。また、無線切替確認情報７２には、無線ＬＡＮを利用したいか否かを問うメッセージも含まれる。
【００５２】
無線ＬＡＮを利用したネットワーク接続に切り替えたい場合は、Ｙｅｓボタン７３を押下することで、少なくとも現在のネットワーク接続方法に限っては無線ＬＡＮに切り替えることができる。即ち、Ｙｅｓボタン７３を押下すると、現在検知されているＡＰに対応した無線ＬＡＮに接続され、その無線ＬＡＮを使用可能な状態となる。検知されているＡＰの中に通常無線ＬＡＮに対応したＡＰがある場合は、そのＡＰへの接続が優先される。Ｎｏボタン７４を押下したら、待機画面２に戻る。
【００５３】
図２（ｂ）に示すように待機画面２に第２の通信ボタン５２が表示されている場合に、この第２の通信ボタン５２を押下したときに表示される画面は、無線ＬＡＮの接続状態に応じて異なる。
【００５４】
即ち、図４に例示するように、第２の通信ボタン５２を押下した場合に、無線ＬＡＮの接続状態が正常であれば、無線ＬＡＮ正常画面７６が表示される。一方、無線ＬＡＮの接続状態が異常であれば、無線ＬＡＮ異常画面８１が表示される。
【００５５】
無線ＬＡＮの接続状態が正常か否かは、無線ＬＡＮの受信電波の電波強度に基づいて判断される。例えば、電波強度がある一定レベル以上であって正常にデータ通信を行うことができる状態にある場合は、接続状態が正常であると判断される。逆に、例えば電波強度が上記一定レベルに満たない場合は、データ通信を正常に行うことができない可能性があるため、接続状態が異常であると判断される。
【００５６】
無線ＬＡＮ正常画面７６には、図４に例示するように、無線ＬＡＮ接続情報７７と、Ｙｅｓボタン７８と、Ｎｏボタン７９とが表示される。無線ＬＡＮ接続情報７７は、現在接続されている無線ＬＡＮに関する情報であり、例えば、複合機１０のノード名、電波強度、ＩＰアドレスなどを含む。また、使用する無線ＬＡＮを他の無線ＬＡＮに変更したいか否かを問うメッセージも含まれる。
【００５７】
現在使用している無線ＬＡＮとは別の無線ＬＡＮを使用したい場合は、Ｙｅｓボタン７８を押下することで、別の無線ＬＡＮの設定に進むことができる。具体的には、Ｙｅｓボタン７８を押下すると、図２（ａ）に例示した設定開始画面６１が表示される。よって、その設定開始画面６１を起点として、新たに無線ＬＡＮを設定し直すことができる。無線
ＬＡＮ正常画面７６において、Ｎｏボタン７９を押下した場合は、待機画面２に戻る。
【００５８】
無線ＬＡＮ異常画面８１には、図４に例示するように、無線ＬＡＮ異常情報８２と、Ｙｅｓボタン８３と、Ｎｏボタン８４とが表示される。無線ＬＡＮ異常情報８２には、設定されている無線ＬＡＮが正常に利用できない状態にあることを示す情報、ルータ１６０やＡＰの動作状態の確認を促す情報、必要に応じて無線ＬＡＮ設定をやり直すよう促す情報、などが含まれる。無線ＬＡＮを再設定したい場合は、Ｙｅｓボタン８３を押下することで、図２（ａ）に例示した設定開始画面６１を表示させ、無線ＬＡＮの設定をやり直すことができる。
【００５９】
無線ＬＡＮ異常画面８１において、Ｎｏボタン８４を押下した場合は、有線ＬＡＮに接続されているか否か、或いは現在設定されて使用されている無線ＬＡＮとは異なる別の無線ＬＡＮのＡＰから電波を受信しているか否か、などに応じて異なる画面が表示される。
【００６０】
例えば、有線ＬＡＮに接続されている場合は、有線ＬＡＮ切替ガイダンス画面８６が表示される。また例えば、現在設定されて使用されている無線ＬＡＮとは異なる別の無線ＬＡＮのＡＰから電波を受信している場合は、アクセスポイント切替ガイダンス画面９１が表示される。
【００６１】
有線ＬＡＮ切替ガイダンス画面８６には、図４に例示するように、有線切替確認情報８７と、Ｙｅｓボタン８８と、Ｎｏボタン８９とが表示される。有線切替確認情報８７には、設定されている無線ＬＡＮに接続されていないことを示す情報、有線ＬＡＮに接続されていることを示す情報、などが含まれる。また、有線ＬＡＮを利用したいか否かを問うメッセージも含まれる。
【００６２】
有線ＬＡＮを利用したネットワーク接続に切り替えたい場合は、Ｙｅｓボタン８８を押下することで、少なくとも現在のネットワーク接続方法に限っては有線ＬＡＮに切り替えることができる。Ｎｏボタン７４を押下した場合は、現在設定されて使用されている無線ＬＡＮとは異なる別の無線ＬＡＮのＡＰから電波を受信しているか否かが判断される。そして、現在設定されて使用されている無線ＬＡＮとは異なる別の無線ＬＡＮのＡＰから電波を受信している場合は、アクセスポイント切替ガイダンス画面９１が表示される。
【００６３】
アクセスポイント切替ガイダンス画面９１には、図４に例示するように、ＡＰ切替確認情報９２と、Ｙｅｓボタン９３と、Ｎｏボタン９４とが表示される。ＡＰ切替確認情報９２には、設定されている無線ＬＡＮの受信電波よりも電波強度の強い別の無線ＬＡＮのＡＰが存在していることを示す情報や、その別の無線ＬＡＮを利用したいか否かを問うメッセージなどが含まれる。
【００６４】
電波強度の強い別の無線ＬＡＮに切り替えたい場合は、Ｙｅｓボタン９３を押下することで、別の無線ＬＡＮの設定に進むことができる。具体的には、Ｙｅｓボタン９３を押下すると、図２（ａ）に例示した設定開始画面６１が表示される。よって、その設定開始画面６１を起点として、新たに無線ＬＡＮを設定し直すことができる。アクセスポイント切替ガイダンス画面９１において、Ｎｏボタン９４を押下した場合は、待機画面２に戻る。
【００６５】
（５）通信制御処理
上述した画面遷移は、複合機１０のＣＰＵ１１が、ＲＯＭ１２又はＮＶＲＡＭ１４に記憶されている通信制御処理のプログラムを実行することにより実現される。図５〜図７に、通信制御処理の一例を示す。複合機１０のＣＰＵ１１は、起動後、ＲＯＭ１２又はＮＶＲＡＭ１４から通信制御処理のプログラムを読み込んで実行する。
【００６６】
複合機１０のＣＰＵ１１は、通信制御処理を開始すると、Ｓ１１０で、表示部１８に待機画面２を表示させる。この場合、待機画面２における通信状態表示領域６には、図２に例示した３種類の通信ボタン５１，５２，５３のうち、現在のネットワーク接続の設定状態や接続状態などに応じた通信ボタンが表示される。
【００６７】
Ｓ１２０では、待機画面２内の通信ボタンが押下されたか否か判断する。通信ボタンが押下されていない場合は（Ｓ１２０：ＮＯ）、Ｓ１３０で、通信ボタン押下以外の他の操作に対応した各種の画面対応処理を実行して、Ｓ１１０に戻る。なお、待機画面２に対して何ら操作等がなされていない場合は、Ｓ１１０では特に何も処理をせずＳ１１０に戻る。
【００６８】
通信ボタンが押下された場合は（Ｓ１２０：ＹＥＳ）、Ｓ１４０で、現在設定されているネットワーク接続方法を判定する。ネットワーク接続方法として有線ＬＡＮが設定されている場合は、Ｓ１５０に進む。
【００６９】
Ｓ１５０では、現在のネットワーク接続状態を検出する。具体的には、少なくとも有線ＬＡＮへの接続状態を検出する。Ｓ１６０では、Ｓ１５０の検出結果に基づき、有線ＬＡＮに接続されているか否か判断する。有線ＬＡＮに接続されている場合は（Ｓ１６０：ＹＥＳ）、Ｓ１７０で、表示部１８に有線ＬＡＮ状態画面６６（図３参照）を表示させる。そして、Ｓ１８０で、有線ＬＡＮ状態画面６６に対するユーザ操作に応じた各種の画面対応処理を行い、最終的にＳ１１０に戻る。
【００７０】
Ｓ１６０で、有線ＬＡＮに接続されていない場合は（Ｓ１６０：ＮＯ）、Ｓ１９０に進む。Ｓ１９０では、設定済みの無線ＬＡＮのＡＰを検知したか否か判断する。具体的には、設定済みの無線ＬＡＮのＡＰから一定レベル以上の電波強度の電波が受信されているか否か判断する。設定済みの無線ＬＡＮのＡＰを検知していない場合は（Ｓ１９０：ＮＯ）、Ｓ２００で、有線ＬＡＮに接続できない状態にあることをユーザに報知するための特定の有線ＬＡＮ非接続通知処理を行って、Ｓ１１０に戻る。
【００７１】
Ｓ１９０で、設定済みの無線ＬＡＮのＡＰを検知している場合は（Ｓ１９０：ＹＥＳ）、Ｓ２１０に進む。Ｓ２１０では、表示部１８に無線ＬＡＮ切替ガイダンス画面７１（図３参照）を表示させる。Ｓ２２０では、無線ＬＡＮ切替ガイダンス画面７１において無線ＬＡＮへの切り替えを要求する操作（即ちＹｅｓボタン７３の押下）がなされたか否か判断する。無線ＬＡＮへの切り替えを要求する操作がなされなかった場合（即ちＮｏボタン７４が押下された場合）は（Ｓ２２０：ＮＯ）、Ｓ１１０に戻る。無線ＬＡＮへの切り替えを要求する操作がなされた場合は（Ｓ２２０：ＹＥＳ）、Ｓ２３０で、無線ＬＡＮ接続処理を行って、Ｓ１１０に戻る。
【００７２】
Ｓ２３０の無線ＬＡＮ接続処理は、ネットワーク接続方法を、設定済みの無線ＬＡＮへの接続に一時的に切り替えて、少なくとも現在のネットワーク接続に限ってはその設定済みの無線ＬＡＮを用いることができるようにするための処理である。
【００７３】
Ｓ１４０で、ネットワーク接続方法として無線ＬＡＮが設定されている場合は、Ｓ３１０（図６）に進む。Ｓ３１０では、無線ＬＡＮ設定が既になされているか否か判断する。無線ＬＡＮ設定がまだなされていない場合は（Ｓ３１０：ＮＯ）、Ｓ３２０で、無線ＬＡＮ接続ウィザードを実行する。具体的には、図２（ａ）に示した設定開始画面６１を起点とした、無線ＬＡＮ設定のための一連の処理を行う。無線ＬＡＮ接続ウィザードの実行により無線ＬＡＮ設定が完了したら、Ｓ１１０に戻る。
【００７４】
Ｓ３１０で、無線ＬＡＮ設定が既にされている場合は（Ｓ３１０：ＹＥＳ）、Ｓ３３０
で、無線ＬＡＮの接続状態が正常であるか否かを判断する。具体的には、既述の通り、無線ＬＡＮの受信電波の電波強度に基づいて判断する。無線ＬＡＮの接続状態が正常である場合、即ち設定されている無線ＬＡＮのＡＰから一定レベル以上の電波を受信可能であってそのＡＰと正常にデータ通信を行える状態にある場合は（Ｓ３３０：ＹＥＳ）、Ｓ３４０に進む。
【００７５】
Ｓ３４０では、表示部１８に無線ＬＡＮ正常画面７６（図４参照）を表示させる。Ｓ３５０では、無線ＬＡＮ正常画面７６において別の無線ＬＡＮへの設定変更を要求する操作（即ちＹｅｓボタン７８の押下）がなされたか否か判断する。別の無線ＬＡＮへの切り替えを要求する操作がなされなかった場合（即ちＮｏボタン７９が押下された場合）は（Ｓ３５０：ＮＯ）、Ｓ１１０に戻る。別の無線ＬＡＮへの切り替えを要求する操作がなされた場合は（Ｓ３５０：ＹＥＳ）、Ｓ３２０で、無線ＬＡＮ接続ウィザードを実行する。即ち、図２（ａ）に示した設定開始画面６１を表示させて、無線ＬＡＮの設定を促す。無線ＬＡＮ接続ウィザードにより無線ＬＡＮ設定が完了したら、Ｓ１１０に戻る。
【００７６】
Ｓ３３０で、無線ＬＡＮの接続状態が正常ではない場合、即ち設定されている無線ＬＡＮのＡＰからの電波強度が弱くてそのＡＰと正常にデータ通信を行える状態にない場合は（Ｓ３３０：ＮＯ）、Ｓ３６０に進む。Ｓ３６０では、表示部１８に無線ＬＡＮ異常画面８１（図４参照）を表示させる。
【００７７】
Ｓ３７０では、無線ＬＡＮ異常画面８１において無線ＬＡＮの再設定を要求する操作（即ちＹｅｓボタン８３の押下）がなされたか否か判断する。無線ＬＡＮの再設定を要求する操作がなされた場合は（Ｓ３７０：ＹＥＳ）、Ｓ３８０で、無線ＬＡＮ接続ウィザードを実行する。無線ＬＡＮ接続ウィザードにより無線ＬＡＮ設定が完了したら、Ｓ１１０に戻る。
【００７８】
Ｓ３７０で、無線ＬＡＮの再設定を要求する操作がなされなかった場合（即ちＮｏボタン８４が押下された場合）は（Ｓ３７０：ＮＯ）、Ｓ４１０（図７）に進む。Ｓ４１０では、有線ＬＡＮに接続中であるか否かを判断する。有線ＬＡＮに接続中である場合は（Ｓ４１０：ＹＥＳ）、Ｓ４９０で、表示部１８に有線ＬＡＮ切替ガイダンス画面８６（図４参照）を表示させる。
【００７９】
Ｓ５００では、有線ＬＡＮ切替ガイダンス画面８６において有線ＬＡＮへの切り替えを要求する操作（即ちＹｅｓボタン８８の押下）がなされたか否か判断する。有線ＬＡＮへの切り替えを要求する操作がなされた場合は（Ｓ５００：ＹＥＳ）、Ｓ５１０で、有線ＬＡＮへの切替処理を行い、有線ＬＡＮを利用可能な状態にして、Ｓ１１０に戻る。
【００８０】
Ｓ５００で有線ＬＡＮへの切り替えを要求する操作がなされなかった場合（即ちＮｏボタン８９が押下された場合）（Ｓ５００：ＮＯ）、及び、Ｓ４１０で有線ＬＡＮに接続中でない場合は（Ｓ４１０：ＮＯ）、Ｓ４２０に進む。
【００８１】
Ｓ４２０では、現在設定されている無線ＬＡＮとは異なる別の無線ＬＡＮのＡＰを検索する。即ち、一定レベル以上の電波強度の電波を受信可能な別の無線ＬＡＮのＡＰが存在しているか否かを検索する。
【００８２】
Ｓ４３０では、Ｓ４２０の検索結果に基づき、受信電波の電波強度が強い（即ち一定レベル以上の）別のＡＰがあるか否か判断する。電波強度が強い別のＡＰがあった場合は（Ｓ４３０：ＹＥＳ）、Ｓ４４０で、表示部１８にアクセスポイント切替ガイダンス画面９１（図４参照）を表示させ、Ｓ４５０に進む。
【００８３】
Ｓ４５０では、アクセスポイント切替ガイダンス画面９１において別の無線ＬＡＮへの切り替えを要求する操作（即ちＹｅｓボタン９３の押下）がなされたか否か判断する。別の無線ＬＡＮへの切り替えを要求する操作がなされなかった場合（即ちＮｏボタン９４が押下された場合）は（Ｓ４５０：ＮＯ）、Ｓ１１０に戻る。
【００８４】
Ｓ４５０で、別の無線ＬＡＮへの切り替えを要求する操作がなされた場合は（Ｓ４５０：ＹＥＳ）、Ｓ４６０で、無線ＬＡＮ接続ウィザードを実行する。無線ＬＡＮ接続ウィザードにより無線ＬＡＮ設定が完了したら、Ｓ１１０に戻る。
【００８５】
Ｓ４３０で、電波強度が強い別のＡＰがなかった場合は（Ｓ４３０：ＮＯ）、Ｓ４７０で、表示部１８にアクセスポイント改善ガイダンス画面（不図示）を表示させ、Ｓ４８０に進む。アクセスポイント改善ガイダンス画面は、現在利用中のＡＰとの無線通信の電波環境を改善するようユーザに促すための画面である。このアクセスポイント改善ガイダンス画面には、別の無線ＬＡＮへの切り替えを促すメッセージと、別の無線ＬＡＮへの切り替えを要求するためのＹｅｓボタンと、Ｎｏボタンとが表示される。アクセスポイント改善ガイダンス画面において、Ｙｅｓボタンが押下された場合は（Ｓ４８０：ＹＥＳ）、Ｓ４６０に進む。アクセスポイント改善ガイダンス画面において、Ｎｏボタンが押下された場合は（Ｓ４８０：ＮＯ）、Ｓ１１０に戻る。
【００８６】
（６）実施形態の効果
以上説明したように、本実施形態の複合機１０では、ネットワーク接続方法を予め設定しておくことができる。即ち、ＰＣ３０やその他の外部装置とのデータ通信を無線ＬＡＮで行うかそれとも有線ＬＡＮで行うかを、予め設定しておくことができる。
【００８７】
そして、待機画面２の通信状態表示領域６に表示されている通信ボタンが押下された場合に遷移する次の画面は、設定されているネットワーク接続方法に応じて異なる。
また、ネットワーク接続方法として無線ＬＡＮが設定されている場合であっても、無線ＬＡＮを利用するために必要な無線ＬＡＮ設定が既になされているか否かによって、表示部１８に表示される画面が異なる。さらに、無線ＬＡＮ設定が既になされている場合は、その設定されている無線ＬＡＮの電波強度によって、表示部１８に表示される画面が異なる。
【００８８】
つまり、ネットワーク接続方法として無線ＬＡＮが設定されている場合、通信ボタンが押下されると、無線ＬＡＮ設定の有無に応じた適切な画面が表示され、無線ＬＡＮ設定が既になされている場合にはそのときの電波環境に応じた適切な画面が表示される。
【００８９】
特に、無線ＬＡＮの電波強度が弱い場合には、有線ＬＡＮの接続状態が確認され、有線ＬＡＮを利用可能な状態である場合には有線ＬＡＮへの切り替えが促される。有線ＬＡＮが利用できない場合は、さらに、別の無線ＬＡＮの利用可否が検索され、利用可能な別の無線ＬＡＮが存在している場合にはその無線ＬＡＮへの切り替えが促される。
【００９０】
従って、ユーザは、ネットワーク接続方法として無線ＬＡＮが設定されている場合、無線ＬＡＮの設定状態や無線ＬＡＮの電波状態に応じて必要な情報を迅速に取得することができ、現在の状況に応じた適切な対応をとることができる。
【００９１】
一方、ネットワーク接続方法として有線ＬＡＮが設定されている場合も、通信ボタンが押下された場合の画面遷移は、実際に有線ＬＡＮに接続中であるか否かによって異なる。実際に有線ＬＡＮに接続中でない場合は、さらに、設定済みの無線ＬＡＮの電波を検知したか否かによって、遷移する画面が異なる。
【００９２】
そのため、ユーザは、ネットワーク接続方法として有線ＬＡＮが設定されている場合に、通信ボタンを押下することで、有線ＬＡＮを利用可能な状態であるか否かを迅速に認識できる。しかも、有線ＬＡＮを利用できない状態である場合には、無線ＬＡＮが利用可能な状態か否かに応じた画面が表示され、無線ＬＡＮが利用可能な場合には無線ＬＡＮに切り替えることもできる。
【００９３】
従って、ユーザは、ネットワーク接続方法として有線ＬＡＮが設定されている場合、有線ＬＡＮの接続状態や無線ＬＡＮの実行可否状態に応じて必要な情報を迅速に取得することができ、現在の状況に応じた適切な対応をとることができる。
【００９４】
なお、本実施形態において、は本発明の表示制御装置及び通信装置の一例に相当する。図５〜図７の通信制御処理のプログラムは本発明の表示制御プログラムの一例に相当する。複合機１０のＲＯＭ１２又はＮＶＲＡＭ１４は本発明の記憶媒体の一例に相当する。ＰＣ３０は本発明の外部装置の一例に相当する。複合機１０の無線通信部１９は本発明の検出部の一例に相当する。複合機１０のＣＰＵ１１は本発明の制御部の一例に相当する。
【００９５】
また、Ｓ１１０の処理は本発明のボタン表示処理の一例に相当する。Ｓ３１０の処理は本発明の無線設定判断処理の一例に相当する。Ｓ３３０の処理は本発明の強度取得処理及びレベル判断処理の一例に相当する。Ｓ３４０及びＳ３６０の処理は本発明の第１の画面表示処理の一例に相当する。Ｓ３２０の処理は本発明の第２の画面表示処理及び設定処理の一例に相当する。Ｓ４２０〜Ｓ４３０の処理は本発明の他通信網判断処理の一例に相当する。Ｓ４６０の処理は本発明の設定画面表示処理一例に相当する。Ｓ４１０の処理は本発明の有線判断処理の一例に相当する。ネットワーク接続方法として無線ＬＡＮ及び有線ＬＡＮのうち何れかを設定する処理は本発明の通信方法設定処理の一例に相当する。無線ＬＡＮ及び有線ＬＡＮのうちネットワーク接続方法として設定されている何れか一方にてデータ通信を行う処理は本発明の通信処理の一例に相当する。Ｓ１６０の処理は本発明の有線判断処理の一例に相当する。
【００９６】
［他の実施形態］
以上、本発明の実施形態について説明したが、本発明は上記実施形態に限定されることなく、種々の形態を採り得る。
【００９７】
（１）図２〜図４に示した各画面の内容は、あくまでも一例である。ネットワーク接続方法の設定内容に応じた適切な画面、無線ＬＡＮの設定の有無に応じた適切な画面、無線ＬＡＮの電波強度に応じた適切な画面など、ネットワーク設定状態や実際のネットワーク接続状況などに応じた適切な情報を提供できる限り、各画面の具体的内容は適宜決めることができる。
【００９８】
（２）上記実施形態では、Ｓ１９０の判断処理は、設定済みの無線ＬＡＮのＡＰを対象としていたが、無線ＬＡＮ設定が全くなされていない場合は、検知対象を、受信可能な全てのＡＰに広げてもよい。つまり、無線ＬＡＮが設定されていない場合は、Ｓ１９０では、一定レベル以上の電波強度の電波が受信されるようなＡＰが存在しているか否かを判断するようにしてもよい。
【００９９】
そして、一定レベル以上の電波強度の電波が受信されるようなＡＰが存在している場合は、Ｓ２１０で、そのＡＰの情報を表示させると共に、そのＡＰを用いた無線ＬＡＮの設定を促すようにしてもよい。そして、ユーザによりそのＡＰを用いた無線ＬＡＮの設定が要求された場合には（Ｓ２２０：ＹＥＳ）、Ｓ２３０の無線ＬＡＮ接続処理として、新たな無線ＬＡＮ設定のための処理を行うようにしてもよい。具体的には、図２（ａ）に示した設定開始画面６１を表示させて、無線ＬＡＮ接続ウィザードを実行するようにしてもよ
い。
【０１００】
（３）  なお、特定の無線通信網の電波の受信強度が特定レベルより低い場合に、有線通信、及び別の特定の無線通信網による無線通信のうち、どちらを優先的にユーザに促すかについては、適宜決めることができる。例えば、どちらか一方を先に促しても良いし、両方を同時に促してどちらかを選択させるようにしてもよい。
【０１０１】
（４）図５の通信制御処理において、Ｓ１６０とＳ１９０の実行順序を逆にしてもよい。例えば、Ｓ１６０の前にまずＳ１９０のＡＰの検知を先に行い、検知されなかった場合にＳ１６０の処理に進むようにしてもよい。
【０１０２】
また、Ｓ４１０と、Ｓ４２０〜Ｓ４８０についても、実行順序を逆にしてもよい。例えば、Ｓ４１０の前にまずＳ４２０〜Ｓ４８０を先に実行し、Ｓ４５０で否定判定された場合及びＳ４８０で否定判定された場合に、Ｓ４１０の処理に進むようにしてもよい。
【０１０３】
（５）その他、上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【０１０４】
２…待機画面、３…ファクスボタン、４…コピーボタン、５…スキャンボタン、６…通信状態表示領域、１０…複合機、１１，３１…ＣＰＵ、１２，３２…ＲＯＭ、１３，３３…ＲＡＭ、１４…ＮＶＲＡＭ、１５…画像読取部、１６…印刷部、１７，３５…入力部、１８，３６…表示部、１９，３７…無線通信部、２０，３８…有線通信部、２２…タッチパネル、２５…ＬＡＮケーブル、３０…ＰＣ、３４…ＨＤＤ、５１…第１の通信ボタン、５２…第２の通信ボタン、５３…第３の通信ボタン、６１…設定開始画面、６２…無線接続ウィザードボタン、６３…ＷＰＳ／ＡＯＳＳボタン、６４…接続アシスタントボタン、６６…有線ＬＡＮ状態画面、６７…有線ＬＡＮ接続情報、６８，７３，７８，８３，８８，９３…Ｙｅｓボタン、６９，７４，７９，８４，８９，９４…Ｎｏボタン、７１…無線ＬＡＮ切替ガイダンス画面、７２…無線切替確認情報、７６…無線ＬＡＮ正常画面、７７…無線ＬＡＮ接続情報、８１…無線ＬＡＮ異常画面、８２…無線ＬＡＮ異常情報、８６…有線ＬＡＮ切替ガイダンス画面、８７…有線切替確認情報、９１…アクセスポイント切替ガイダンス画面、９２…切替確認情報、１５１…第１のＡＰ、１５２…第２のＡＰ、１６０…ルータ、１７０…インターネット。
【図１】
0006477158.tif 000002
【図２】
0006477158.tif 000003
【図３】
0006477158.tif 000004
【図４】
0006477158.tif 000005
【図５】
0006477158.tif 000006
【図６】
0006477158.tif 000007
【図７】
0006477158.tif 000008